(57)【要約】【課題】文字入力時のキー操作回数を削減してユーザの利便性を向上させることができる携帯電話機及び文字列登録方法並びに制御プログラムの提供。【解決手段】インターネットアクセス機能を備える携帯電話機１において、Ｗｅｂサイトの画面に表示される文字列を取得する文字列取得部９ａと、取得した文字列が、予め記憶された辞書データに登録されている文字列と一致するかを判定する文字列判定部９ｂと、文字列が一致する場合に、文字入力時における予測変換の候補の先頭に表示されるように、当該文字列を予測変換データに登録する文字列登録部９ｃと、を少なくとも備える。【選択図】図１
2009176175.tif 000002
【特許請求の範囲】
【請求項１】
インターネットアクセス機能を備える携帯電話機において、
Ｗｅｂサイトの画面に表示される文字列を取得する文字列取得部と、
取得した文字列が、予め記憶された辞書データに登録されている文字列と一致するかを判定する文字列判定部と、
文字列が一致する場合に、文字入力時における予測変換の候補の先頭に表示されるように、当該文字列を予測変換データに登録する文字列登録部と、を少なくとも備えることを特徴とする携帯電話機。
【請求項２】
複数の機能に基づく複数の画面を同時に表示する機能を備える携帯電話機において、
一方の画面に表示される文字列を取得する文字列取得部と、
取得した文字列が、予め記憶された辞書データに登録されている文字列と一致するかを判定する文字列判定部と、
文字列が一致する場合に、他方の画面での文字入力時における予測変換の候補の先頭に表示されるように、当該文字列を予測変換データに登録する文字列登録部と、を少なくとも備えることを特徴とする携帯電話機。
【請求項３】
前記複数の機能は、インターネットアクセス機能及び電子メール機能であることを特徴とする請求項２記載の携帯電話機。
【請求項４】
インターネットアクセス機能を備える携帯電話機における文字列登録方法であって、
前記インターネットアクセス機能を用いてＷｅｂサイトにアクセスするステップと、
前記Ｗｅｂサイトの画面に表示される文字列を取得するステップと、
取得した文字列が、予め記憶された辞書データに登録されている文字列と一致するかを判定するステップと、
文字列が一致する場合に、文字入力時における予測変換の候補の先頭に表示されるように、当該文字列を予測変換データに登録するステップと、を少なくとも備えることを特徴とする文字列登録方法。
【請求項５】
複数の機能に基づく複数の画面を同時に表示する機能を備える携帯電話機における文字列登録方法であって、
前記複数の機能を動作させて、前記複数の画面を表示させるステップと、
一方の画面に表示される文字列を取得するステップと、
取得した文字列が、予め記憶された辞書データに登録されている文字列と一致するかを判定するステップと、
文字列が一致する場合に、他方の画面での文字入力時における予測変換の候補の先頭に表示されるように、当該文字列を予測変換データに登録するステップと、を少なくとも備えることを特徴とする文字列登録方法。
【請求項６】
前記複数の機能は、インターネットアクセス機能及び電子メール機能であることを特徴とする請求項５記載の文字列登録方法。
【請求項７】
インターネットアクセス機能を備える携帯電話機で動作する制御プログラムであって、
コンピュータを、
Ｗｅｂサイトの画面に表示される文字列を取得する文字列取得部、
取得した文字列が、予め記憶された辞書データに登録されている文字列と一致するかを判定する文字列判定部、
文字列が一致する場合に、文字入力時における予測変換の候補の先頭に表示されるように、当該文字列を予測変換データに登録する文字列登録部、として機能させることを特徴とする制御プログラム。
【請求項８】
複数の機能に基づく複数の画面を同時に表示する機能を備える携帯電話機で動作する制御プログラムであって、
コンピュータを、
一方の画面に表示される文字列を取得する文字列取得部、
取得した文字列が、予め記憶された辞書データに登録されている文字列と一致するかを判定する文字列判定部、
文字列が一致する場合に、他方の画面での文字入力時における予測変換の候補の先頭に表示されるように、当該文字列を予測変換データに登録する文字列登録部、として機能させることを特徴とする制御プログラム。
【請求項９】
前記複数の機能は、インターネットアクセス機能及び電子メール機能であることを特徴とする請求項８記載の制御プログラム。
【発明の詳細な説明】
【技術分野】
【０００１】
本発明は、携帯電話機及び文字列登録方法並びに制御プログラムに関し、特に、Ｗｅｂサイトに表示される文字列を予測変換候補として登録する制御を行う携帯電話機及び文字列登録方法並びに制御プログラムに関する。
【背景技術】
【０００２】
近年、インターネットアクセス機能や電子メール機能など、様々な機能を備えた携帯電話機が広く普及している。このような多機能の携帯電話機では、Ｗｅｂサイトを検索したりメールを作成する際に文字を入力する場合が多いが、携帯電話機はその構造上、操作部の面積を大きくすることができず、コンピュータ機器のキーボードのように簡単に文字を入力することができない。そのため、携帯電話器では、文字入力をいかに簡便にするかが重要な課題になっている。
【０００３】
文字入力を簡便にするために、携帯電話機には、１つの文字を入力すると、その文字を含む文字列の候補を多数表示して、その中から所望の文字列が選択できるようになっており、以前に選択した候補は、選択肢の先頭に表示されるようになっている。
【０００４】
このような方法（以下、文字の予測変換と呼ぶ。）に関して、例えば、下記特許文献１には、入力された文字列を仮名漢字混じり文字列に変換する仮名漢字変換部と、変換させる表現の頻度について学習する表現頻度学習部と、学習した表現の頻度に基づいて仮名漢字混じり文字列の表現を変換させる制御部と、を備える携帯端末が開示されている。
【０００５】
【特許文献１】特開２００３−１０８５４７号公報
【発明の開示】
【発明が解決しようとする課題】
【０００６】
最近の携帯電話機は大画面化しており、Ｗｅｂサイトを表示する画面とメールを作成する画面を同時に表示できる携帯電話機も販売されている。このような携帯電話機では、Ｗｅｂサイトを参照しつつメールを作成することが可能であり、例えば、Ｗｅｂサイトに表示されている文字列を用いてメールを作成する場合もある。
【０００７】
ここで、文字列の候補を所定のデータ（以下、予測変換データと呼ぶ。）に登録することで、文字の予測変換が可能になるが、Ｗｅｂサイトに表示されている文字列が予測変換データに登録されていなければ、文字列の候補を表示することができず、キーを何度も押下してその文字列を入力しなければならず、利便性が悪いという問題があった。
【０００８】
また、その文字列が予測変換データに登録されていたとしても、予測変換の候補の順位が低いと、その文字列を選択するためにキーを何度も押下しなければならず、やはり利便性が悪いという問題があった。
【０００９】
本発明は、上記問題点に鑑みてなされたものであり、その主たる目的は、文字入力時のキー操作回数を削減してユーザの利便性を向上させることができる携帯電話機及び文字列登録方法並びに制御プログラムを提供することにある。
【課題を解決するための手段】
【００１０】
上記目的を達成するため、本発明は、インターネットアクセス機能を備える携帯電話機において、Ｗｅｂサイトの画面に表示される文字列を取得する文字列取得部と、取得した文字列が、予め記憶された辞書データに登録されている文字列と一致するかを判定する文字列判定部と、文字列が一致する場合に、文字入力時における予測変換の候補の先頭に表示されるように、当該文字列を予測変換データに登録する文字列登録部と、を少なくとも備えるものである。
【００１１】
また、本発明は、複数の機能に基づく複数の画面を同時に表示する機能を備える携帯電話機において、一方の画面に表示される文字列を取得する文字列取得部と、取得した文字列が、予め記憶された辞書データに登録されている文字列と一致するかを判定する文字列判定部と、文字列が一致する場合に、他方の画面での文字入力時における予測変換の候補の先頭に表示されるように、当該文字列を予測変換データに登録する文字列登録部と、を少なくとも備えるものである。
【００１２】
このように、本発明は上記構成により、Ｗｅｂサイト等の画面に表示されている文字列が辞書データに登録されている文字列と一致すれば、文字入力時における予測変換の候補の先頭に表示されるように、予測変換データに登録されるため、文字入力時のキー操作回数を削減してユーザの利便性を向上させることができる。
【発明の効果】
【００１３】
本発明の携帯電話機及び文字列登録方法並びに制御プログラムによれば、文字入力時のキー操作回数を削減してユーザの利便性を向上させることができる。
【００１４】
その理由は、携帯電話機に、画面に表示されている文字列を取得する文字列取得部と、取得した文字列が辞書データに登録されている文字列と一致するかを判定する文字列判定部と、文字列が一致する場合に、予測変換の候補の先頭に表示されるように、その文字列を予測変換データに登録する文字列登録部と、を設けているからである。
【発明を実施するための最良の形態】
【００１５】
背景技術で示したように、Ｗｅｂサイトを表示する画面とメールを作成する画面などの２画面を同時に表示できる携帯電話機が販売されており、このような携帯電話機では一方の画面に表示されている文字列を他方の画面で利用する場合がある。
【００１６】
しかしながら、画面に表示されている文字列が予測変換データに登録されていなければ、予測変換の候補として表示することはできず、キーを何度も押下してその文字列を入力しなければならない。また、その文字列が予測変換データに登録されていたとしても、予測変換の候補の順位が低いと、やはりキーを何度も押下してその文字列を選択しなければならない。
【００１７】
一方、画面に表示されている文字列を辞書データに自動的に登録すると、ユーザが必要としない文字列まで登録され、予測変換の候補として表示されてしまい、必要とする文字列を選択するためのキー操作回数が増えてしまうという問題が生じる。
【００１８】
そこで、本発明では、例えば、インターネットアクセス機能を用いてＷｅｂサイトをアクセスした場合などに、画面に表示されている文字列を取得し、その文字列が辞書データに登録されている文字列と一致するかを判定し、文字列が一致する場合に、文字入力時における予測変換の候補の先頭に表示されるように、その文字列を予測変換データに登録する制御を行う。これにより、文字入力時のキー操作回数を削減すると共に、不要な文字の登録を防止して、ユーザの利便性を向上させることができる。
【実施例】
【００１９】
上記した実施の形態についてさらに詳細に説明すべく、本発明の一実施例に係る携帯電話機及び文字列登録方法並びに制御プログラムについて、図１乃至図３を参照して説明する。図１は、本実施例に係る携帯電話機の構成を模式的に示すブロック図であり、図２は、ｗｅｂサイト閲覧時の動作を示す概念図である。また、図３は、ｗｅｂサイト閲覧時の詳細動作を示すフローチャート図である。
【００２０】
図１に示すように、本実施例の携帯電話機１は、アンテナ２と無線通信部３と表示部４と操作部５と記憶部６とスピーカ７とマイク８と制御部９などを備える。
【００２１】
アンテナ２及び無線通信部３は、無線信号の送受信や変調／復調などの処理を行う。本実施例では、無線基地局を介してインターネットに接続し、ＷｅｂサイトからテキストデータやＨＴＭＬ（HyperText Markup Language）によるレイアウト情報、文書中に埋め込まれた画像や音声、動画などから構成されるＷｅｂページの情報を受信する。
【００２２】
表示部４は、ＬＣＤ（Liquid Crystal Display）や有機ＥＬ（Electro Luminescence）表示装置などで構成され、Ｗｅｂサイトの画面やメール作成画面などを表示する。なお、インターネットアクセス機能を用いて表示される画面と電子メール機能を用いて表示される画面など、複数の画面を同時に表示できるようにしてもよく、一方の画面に表示された文字列を予測変換データに登録することによって、他方の画面でその文字列を利用した処理を迅速に行うことができる。
【００２３】
操作部５は、数字キーやファンクションキー、十字キーなどの複数のキーで構成され、各種機能を動作させる指示、予測変換の候補として表示された文字列の選択などの操作を行う。
【００２４】
記憶部６は、ＲＯＭ（Read Only Memory）やＲＡＭ（Random Access Memory）などのメモリで構成され、各種データやプログラム（例えば、Ｗｅｂブラウザ）を記憶する。本実施例では、辞書データを記憶する辞書データ記憶部６ａと、予測変換データを記憶する予測変換データ記憶部６ｂとを備える。
【００２５】
スピーカ７及びマイク８は、音声の入出力などを行う。
【００２６】
制御部９は、ＣＰＵ（Central Processing Unit）などで構成され、ＲＯＭに記憶されたプログラム（例えば、Ｗｅｂブラウザ）をＲＡＭに展開して実行し、携帯電話機１の各種動作（例えば、Ｗｅｂサイトの表示）を制御する。また、制御部９は、Ｗｅｂサイトの画面などに表示されている文字列を取得する文字列取得部９ａと、取得した文字列が、辞書データに登録されているかを判定する文字列判定部９ｂと、取得した文字列が辞書データに登録されている場合に、予測変換の候補の先頭に表示されるように、その文字列を予測変換データに登録する文字列登録部９ｃなどしても機能する。上記文字列取得部９ａ、文字列判定部９ｂ、文字列登録部９ｃはプログラムとして構成してもよいし、ハードウェアとして構成してもよい。
【００２７】
なお、図１は携帯電話機１の基本的な構成であり、図１の構成に加えて、デジタルカメラ機能やテレビ放送受信機能、音楽プレイヤー機能、ナビゲーション機能、電子決済機能などの他の機能を備えていてもよい。携帯電話機１の形状は任意であり、折り畳み型でもよいし、一体型やスライド型などとしてもよい。
【００２８】
上記構成の携帯電話機１を用いてＷｅｂサイトを閲覧する場合は、図２のようになり、Ｗｅｂブラウザを起動してＷｅｂサイトにアクセスすると、制御部９は、Ｗｅｂサイトから文字列を取得する（［１］参照）。そして、辞書データに登録されている文字列と同等の文字列があるかを判定し（［２］参照）、同等の文字列がある場合は、文字入力時における予測変換の候補の先頭に表示されるように、その文字列を予測変換データに登録する（［３］参照）。
【００２９】
以下、上記動作について詳細に説明する。
【００３０】
図３は、Ｗｅｂサイトの画面に表示されている文字列を登録する手順を示すフローチャート図である。
【００３１】
まず、ステップＳ１０１で、ユーザが携帯電話機１の操作部５を操作して、インターネット接続を指示すると、制御部９はＷｅｂブラウザを起動し、Ｗｅｂブラウザは、アンテナ２及び無線通信部３を用いてインターネットに接続する。
【００３２】
次に、ユーザが操作部５を操作してＷｅｂサイトを指定すると、ステップＳ１０２で、Ｗｅｂブラウザは、ＷｅｂサイトからＷｅｂページの情報を受信し、文字列取得部９ａは、Ｗｅｂページの情報に含まれるテキストデータの中から、１又は複数の漢字、ひらがな、カタカナ、記号などで構成される文字列を取得する。
【００３３】
次に、ステップＳ１０３で、文字列判定部９ｂは、辞書データ記憶部６ａに記憶された辞書データを参照し、ステップＳ１０４で、取得した文字列の中に辞書データに登録されている文字列と同等の文字列があるかを判定する。
【００３４】
そして、同等の文字列がある場合は、ステップＳ１０５で、文字列登録部９ｃは、文字入力時に予測変換の候補の先頭に表示されるように、その文字列を予測変換データに登録する。例えば、予測変換データが、５０音の１文字毎に、その文字を先頭に含む文字列やその文字を表す記号などがグループ化されて構成されている場合は、その文字列が予測変換データに登録されていれば、その文字列の登録位置をグループの先頭に変更する処理を行い、その文字列が予測変換データに登録されていなければ、その文字列をグループの先頭に追加する処理を行う。
【００３５】
次に、ステップＳ１０６で、Ｗｅｂブラウザは、Ｗｅｂページの情報に基づいて、表示部４にＷｅｂサイトの画面を表示する。
【００３６】
その後、例えば、メール作成画面を表示部４に表示させて（好ましくは、Ｗｅｂサイトの画面と同時に表示させて）、Ｗｅｂサイトの画面に表示されている文字列の最初の文字を入力すると、制御部９はその文字列を予測変換の候補の先頭に表示し、少ないキー操作でその文字列が選択できるようにする。
【００３７】
このように、インターネットアクセス機能を利用してＷｅｂサイトにアクセスしてＷｅｂサイトの画面を表示する場合などに、画面に表示されている文字列と携帯電話機１に予め記憶されている辞書データとを比較し、その文字列が辞書データに登録されていれば、予測変換の候補の先頭に表示されるように、その文字列を予測変換データに登録する制御を行うため、画面に表示されている文字列を文字入力の際に容易に選択することができ、これにより、キー操作回数を削減して、ユーザの利便性を向上させることができる。
【００３８】
なお、上記実施例では、Ｗｅｂサイトの画面に表示されている文字列を用いてメールを作成する例を示したが、本発明は上記実施例に限定されるものではなく、Ｗｅｂサイトの画面に表示されている文字をスケジュール帳に書き込む場合や、受信メールに表示されている文字列を送信メールやスケジュール帳に書き込む場合などに対しても同様に適用することができる。
【００３９】
また、上記実施例では、本発明を携帯電話機に適用する場合を示したが、ＰＤＡ（Personal Digital Assistance）などの任意の小型携帯端末に対して同様に適用することができる。
【産業上の利用可能性】
【００４０】
本発明は、文字の予測変換が可能な小型携帯端末、特に、携帯電話機及びその文字列登録方法並びに制御プログラムに利用可能である。
【図面の簡単な説明】
【００４１】
【図１】本発明の一実施例に係る携帯電話機の構成を模式的に示すブロック図である。
【図２】本発明の一実施例に係る携帯電話機を用いてｗｅｂサイトを閲覧する動作を概念的に示す図である。
【図３】本発明の一実施例に係る携帯電話機を用いて、Ｗｅｂサイトの画面に表示されている文字列を登録する手順を示すフローチャート図である。
【符号の説明】
【００４２】
１  携帯電話機
２  アンテナ
３  無線通信部
４  表示部
５  操作部
６  記憶部
６ａ  辞書データ記憶部
６ｂ  予測変換データ記憶部
７  スピーカ
８  マイク
９  制御部
９ａ  文字列取得部
９ｂ  文字列判定部
９ｃ  文字列登録部
【図１】
2009176175.tif 000003
【図２】
2009176175.tif 000004
【図３】
2009176175.tif 000005